(57)【特許請求の範囲】
【請求項１】
それぞれに複数の磁石片が設けられると共に、同一の軸線を中心に回転する第１、第２の回転子と、電動ポンプを介して作動流体を供給して前記第１、第２の回転子を前記軸線を中心として相対回転させ、両者の相対回転角を示す位相を前記磁石片による合成磁束が最も強められる位相位置と最も弱められる位相位置との間で変更する位相変更機構とを少なくとも有すると共に、前記作動流体が供給されないとき、前記合成磁束が最も強められる位相位置と最も弱められる位相位置の中間位置あるいは最も弱められる位相位置で安定する特性を備える電動機と、前記電動機で駆動される車輪とを備えた電動車両の制御装置において、前記電動車両が所定速度以上の高速で所定時間以上走行する高速走行状態にあるか否か判定する高速走行状態判定手段と、前記高速走行状態にあると判定されるとき、前記電動ポンプの作動を抑制するポンプ作動抑制手段とを備えたことを特徴とする電動車両の制御装置。
【請求項２】
それぞれに複数の磁石片が設けられると共に、同一の軸線を中心に回転する第１、第２の回転子と、電動ポンプを介して作動流体を供給して前記第１、第２の回転子を前記軸線を中心として相対回転させ、両者の相対回転角を示す位相を前記磁石片による合成磁束が最も強められる位相位置と最も弱められる位相位置との間で変更する位相変更機構とを少なくとも有すると共に、前記作動流体が供給されないとき、前記合成磁束が最も強められる位相位置で安定する特性を備える電動機と、前記電動機で駆動される車輪とを備えた電動車両の制御装置において、前記電動車両が渋滞路を所定時間以上走行する渋滞走行状態にあるか否か判定する渋滞走行状態判定手段と、前記渋滞走行状態にあると判定されるとき、前記電動ポンプの作動を抑制するポンプ作動抑制手段とを備えたことを特徴とする電動車両の制御装置。
【請求項３】
前記渋滞走行状態判定手段は、外部通信に基づいて前記渋滞走行状態にあるか否か判定することを特徴とする請求項２記載の電動車両の制御装置。
【発明の詳細な説明】
【技術分野】
【０００１】
この発明は電動車両の制御装置に関し、より具体的には着磁された２個の回転子を相対回転させて位相を変更する電動機を備えた電動車両の制御装置に関する。
【背景技術】
【０００２】
電動ポンプを介して作動流体を供給されて着磁された２個の回転子を相対回転させ、両者の相対回転角を示す位相を変更する電動機で駆動される車輪を備えた電動車両の例としては、下記の特許文献１記載の技術を挙げることができる。特許文献１記載の技術にあっては、磁石片が周方向に平行に配置される第１、第２の回転子を備えると共に、作動流体が供給されないときは強め位相位置で安定する特性を備えた電動機を搭載している。
【特許文献１】特開２００７−２４４０６０号公報
【発明の開示】
【発明が解決しようとする課題】
【０００３】
ところで、電動機によっては磁石片をその長手方向が径方向を向くように配置される第１の回転子と周方向を向くように配置される第２の回転子を備えるものもあり、そのような電動機は作動流体が供給されないとき、弱め位相位置で安定する特性を備える。いずれの特性を備える電動機であっても、電動ポンプを介して作動流体を供給して位相を変更することから、電動ポンプの消費電力を低減することが望ましい。
【０００４】
従って、この発明の目的は上記した課題を解消することにあり、電動機で車輪が駆動される電動車両において位相を変更する電動ポンプの消費電力を低減するようにした電動車両の制御装置を提供することにある。
【課題を解決するための手段】
【０００５】
上記の目的を達成するために、請求項１にあっては、それぞれに複数の磁石片が設けられると共に、同一の軸線を中心に回転する第１、第２の回転子と、電動ポンプを介して作動流体を供給して前記第１、第２の回転子を前記軸線を中心として相対回転させ、両者の相対回転角を示す位相を前記磁石片による合成磁束が最も強められる位相位置と最も弱められる位相位置との間で変更する位相変更機構とを少なくとも有すると共に、前記作動流体が供給されないとき、前記合成磁束が最も強められる位相位置と最も弱められる位相位置の中間位置あるいは最も弱められる位相位置で安定する特性を備える電動機と、前記電動機で駆動される車輪とを備えた電動車両の制御装置において、前記電動車両が所定速度以上の高速で所定時間以上走行する高速走行状態にあるか否か判定する高速走行状態判定手段と、前記高速走行状態にあると判定されるとき、前記電動ポンプの作動を抑制するポンプ作動抑制手段とを備える如く構成した。
【０００６】
請求項２にあっては、それぞれに複数の磁石片が設けられると共に、同一の軸線を中心に回転する第１、第２の回転子と、電動ポンプを介して作動流体を供給して前記第１、第２の回転子を前記軸線を中心として相対回転させ、両者の相対回転角を示す位相を前記磁石片による合成磁束が最も強められる位相位置と最も弱められる位相位置との間で変更する位相変更機構とを少なくとも有すると共に、前記作動流体が供給されないとき、前記合成磁束が最も強められる位相位置で安定する特性を備える電動機と、前記電動機で駆動される車輪とを備えた電動車両の制御装置において、前記電動車両が渋滞路を所定時間以上走行する渋滞走行状態にあるか否か判定する渋滞走行状態判定手段と、前記渋滞走行状態にあると判定されるとき、前記電動ポンプの作動を抑制するポンプ作動抑制手段とを備える如く構成した。
【０００７】
請求項３に係る電動車両の制御装置にあっては、前記渋滞走行状態判定手段は、外部通信に基づいて前記渋滞走行状態にあるか否か判定する如く構成した。
【発明の効果】
【０００８】
請求項１にあっては、電動ポンプを介して作動流体を供給して着磁された第１、第２の回転子を相対回転させ、両者の相対回転角を示す位相を磁石片による合成磁束が最も強められる位相位置と最も弱められる位相位置との間で変更する位相変更機構とを少なくとも有すると共に、作動流体が供給されないとき、合成磁束が最も強められる位相位置と最も弱められる位相位置の中間位置あるいは最も弱められる位相位置で安定する特性を備える電動機で駆動される車輪とを備えた電動車両の制御装置において、所定速度以上の高速で所定時間以上走行する高速走行状態にあるか否か判定し、高速走行状態にあると判定されるとき、電動ポンプの作動を抑制、即ち、停止あるいはその吐出出力を低下させる如く構成したので、位相を変更する電動ポンプの消費電力を低減することができる。また、トルクが必要な低回転ではない高速走行状態にあるときに限って電動ポンプの作動を抑制する如く構成したので、不都合が生じることがない。
【０００９】
請求項２にあっては、電動ポンプを介して作動流体を供給して着磁された第１、第２の回転子を相対回転させ、両者の相対回転角を示す位相を磁石片による合成磁束が最も強められる位相位置と最も弱められる位相位置との間で変更する位相変更機構とを少なくとも有すると共に、作動流体が供給されないとき、合成磁束が最も強められる位相位置で安定する特性を備える電動機で駆動される車輪とを備えた電動車両の制御装置において、渋滞路を所定時間以上走行する渋滞走行状態にあるか否か判定し、渋滞走行状態にあると判定されるとき、電動ポンプの作動を抑制、即ち、停止あるいはその吐出出力を低下させる如く構成したので、位相を変更する電動ポンプの消費電力を低減することができる。また、高速回転が要求されることがない渋滞走行状態にあるときに限って電動ポンプの作動を抑制する如く構成したので、位相を強め位相側、換言すれば許容回転数を減少させても、不都合が生じることがない。
【００１０】
請求項３に係る電動車両の制御装置にあっては、外部通信に基づいて渋滞走行状態にあるか否か判定する如く構成したので、上記した効果に加え、渋滞走行状態にあるか否かを容易に判定することができる。
【発明を実施するための最良の形態】
【００１１】
以下、添付図面に即してこの発明に係る電動機の制御装置を実施するための最良の形態について説明する。
【実施例１】
【００１２】
図１は、この発明の第１実施例に係る電動車両の制御装置の全体構成を示す概略図である。
【００１３】
図１で符号Ｖは電動車両、具体的にはハイブリッド車両、より具体的にはシリーズ・パラレルハイブリット車両（以下「車両」という）を示す。車両Ｖはガソリンを燃料とする火花点火式の内燃機関（「ＥＮＧ」と示し、以下「エンジン」という）１０を備える。エンジン１０の出力はトルク吸収用のダンパ（フライホイールマス）１２を介して変速機１４の入力軸１４ａに接続される。
【００１４】
変速機１４の入力軸１４ａには第１の電動機（モータ）１６が連結される。第１の電動機１６はブラシレスあるいは交流同期電動機からなる。エンジン１０と第１の電動機１６は直結され、一方が回転すると、他方も回転させられるように構成される。
【００１５】
変速機１４において入力軸１４ａは油圧クラッチ１４ｂを介して小径の第１ギヤ１４ｃに接続され、第１ギヤ１４ｃは大径の第２ギヤ１４ｄと噛合する。第２ギヤ１４ｄは一方では小径の第３ギヤ１４ｅに接続されると共に、他方では同様に小径の第４ギヤ１４ｆに噛合する。
【００１６】
第３ギヤ１４ｅはディファレンシャルＤに接続され、それを介して車輪Ｗに接続される。第４ギヤ１４ｆには第２の電動機（モータ）１８が連結される。第２の電動機１８もブラシレスあるいは交流同期電動機からなる。
【００１７】
第１、第２の電動機１６，１８は、ＰＤＵ（Power Drive Unit。パワードライブユニット）２０を介してバッテリ２２に接続される。ＰＤＵ２０はインバータを備え、バッテリ２２から供給（放電）される直流（電力）を交流に変換して第１、第２の電動機１６，１８に供給すると共に、第１、第２の電動機１６，１８の回生動作によって発電された交流を直流に変換してバッテリ２２に供給する。
【００１８】
油圧クラッチ１４ｂはオン（係合）されるとき、エンジン１０と第１の電動機１６の出力を第１ギヤ１４ｃに伝達すると共に、オフ（解離）されるとき、エンジン１０と第１の電動機１６を第１ギヤ１４ｃから切り離す。第２の電動機１８は常に第４ギヤ１４ｆに接続される。
【００１９】
車両Ｖの走行を説明すると、発進時には油圧クラッチ１４ｂがオフされてエンジン１０と第１の電動機１６は変速機１４から切り離される一方、ＰＤＵ２０を介してバッテリ２２から電力を供給されて第２の電動機１８が起動される。第２の電動機１８の出力は第４ギヤ１４ｆを介して車輪Ｗを駆動し、車両Ｖは発進する。
【００２０】
車両Ｖの走行速度がある値に達すると、第１の電動機１６はＰＤＵ２０から電力を供給されて起動され、エンジン１０をクランキングして始動する。エンジン１０はすると、逆に第１の電動機１６を駆動し、第１の電動機１６を発電機として動作させる。第２の電動機１８はバッテリ２２の出力に代え、第１の電動機１６が発電する電力で回転を継続する。このように第１の電動機１６は主として、電動機としてよりも発電機として機能する。
【００２１】
車両Ｖの走行速度がさらに増加すると共に、低負荷領域にあるとき、油圧クラッチ１４ｂがオンされ、エンジン１０の出力が第１ギヤ１４ｃ、第２ギヤ１４ｄを介して車輪Ｗに伝達され、車輪Ｗの駆動を開始する。
【００２２】
エンジン１０の起動に伴い、第２の電動機１８は停止される。第２の電動機１８は停止されても車輪Ｗの側から駆動され、発電するが、その際に第２の電動機１８が可能な限り負荷とならないよう、その位相は弱め位相側にされる。
【００２３】
尚、車両Ｖが発進した後、第２の電動機１８のみでは駆動力が不足するとき、油圧クラッチ１４ｂがオンされ、エンジン１０（あるいはそれに加えて第１の電動機１６）の出力も車輪Ｗに接続される。
【００２４】
図１において符号２４はＥＣＵ（Electronic Control Unit。電子制御ユニット）を示す。ＥＣＵ２４はマイクロコンピュータからなり、ＰＤＵ２０を介して第１、第２の電動機１６，１８の動作を制御して車両Ｖの走行を上記したように制御する。
【００２５】
またＥＣＵ２４は油圧機構２６のクラッチ制御油圧回路２６０を介してクラッチ１４ｂのオン・オフを制御すると共に、運転状態などの検出結果に基づいて第１、第２の電動機１６，１８のトルクを制御すると共に、位相制御油圧回路２６１を介して位相を制御する。
【００２６】
運転状態の検出を説明すると、車両Ｖのドライブシャフト（図示せず）の付近には車速センサ２８が設けられ、ドライブシャフトの回転ごとにパルス信号を出力すると共に、運転席のアクセルペダル（図示せず）の付近にはアクセル開度センサ３０が設けられ、アクセル開度（乗員によるアクセルペダル踏み込み量）を示す出力を生じる。
【００２７】
また車両Ｖのブレーキ（図示せず）の付近にはブレーキスイッチ３２が設けられ、乗員によってブレーキが踏まれるとき、オン信号を出力すると共に、車両Ｖの前面にはレーダ装置３４が配置され、車両Ｖの進行方向に向けて電磁波を発信し、前走車などの物体によって反射された反射波を受信して前走車などの物体に対する相対位置（離間距離）と相対速度を検出する。
【００２８】
さらに、ナビゲーション装置３６を備え、車両Ｖが走行する走行路（道路）の情報を取得する。ナビゲーション装置３６は、走行路の情報を時々刻々と送信するインターナビ機能を備える。
【００２９】
上記したセンサおよびスイッチ群の出力はＥＣＵ２４に送られ、ＥＣＵ２４はそれらの出力に基づいて第１、第２の電動機１６，１８のトルクや位相を制御する。
【００３０】
尚、図１で太線は作動用の高圧油圧系を、細線は潤滑・冷却用の低圧油圧系を、また黒丸は軸受けを示す。第１、第２の電動機１６，１８の固定子４０の巻線４０ａは作動油を供給されて冷却される。
【００３１】
次いで、図２以降を参照して第１、第２の電動機１６，１８の構造を説明する。尚、以下では第２の電動機１８について構造を説明するが、第１の電動機１６にもそのまま妥当する。
【００３２】
図２は図１に示す第２の電動機１８の要部断面図、図３は図２に示す電動機の位相変更機構を示す分解斜視図、図４は図２に示す回転子の磁石の磁極の向きを示す模式図、および図５は図２に示す電動機の回転子の側面図である。
【００３３】
図示の如く、第２の電動機１８は、円環状の固定子（ステータ）４０と、その内側に収容される、同様に円環状の回転子４２と、回転軸（回転軸線）４４を備える。固定子４０は鉄系材料から製作される薄板が積層（あるいは鉄系材料を鋳造）されてなると共に、３相（Ｕ，Ｖ，Ｗ相）の固定子巻線４０ａが配置されてなる。
【００３４】
回転子４２は、外周側（第１）の回転子４２ａと、回転軸（回転軸線）４４を中心として相対変位自在な内周側（第２）の回転子４２ｂからなる。回転子４２ａ，４２ｂは例えば焼結金属から製作される鉄心からなると共に、円周側にはそれぞれ複数組、正確には１６組の細長い形状の磁石片（永久磁石）４６ａ，４６ｂが相互に僅かな間隔をおいて配置される。
【００３５】
より具体的には、図５に示す如く、外周側の回転子４２ａには１６組の磁石片４６ａが、磁石片４６ａの長手方向が回転子４２ａの径方向を向くように配置される一方、内周側の回転子４２ｂには１６組の磁石片４６ｂが、磁石片４６ｂの長手方向が回転子４２ａの円周方向を向き、よって磁石片４６ａと平面視においてコ字状を呈するように配置される。
【００３６】
図３に示す如く、回転子４２には位相変更機構５０が設けられる。位相変更機構５０は、回転軸４４にスプライン（図示せず）を介して固定されるベーンロータ５２と、内周側の回転子４２ｂの内周面に嵌合されて固定される環状ハウジング５４と、ベーンロータ５２を外周側の回転子４２ａにピン５６ａで固定する、一対のドライブプレート５６と、それらに作動油（作動流体、より具体的には油圧）を供給する、前記した油圧機構２６からなる。
【００３７】
ベーンロータ５２は中央のボス部から径方向に等間隔をおいて突出する複数個（６個）のベーン（部材）５２ａが形成されると共に、環状ハウジング５４の内部には中心側に等間隔をおいて突出する複数個（６個）の仕切壁（部材）５４ａが形成される。ベーン５２ａと仕切壁５４ａの先端にはそれぞれシール部材５２ｂ、５４ｂが配置され、ベーン５２ａと環状ハウジング５４の内壁面および仕切壁５４ａとベーンロータ５２のボス部の外周面の間を液密にシールする。
【００３８】
環状ハウジング５４は、図２に示す如く、軸方向長さ（幅）が内周側の回転子４２ｂよりも大きく形成され、２枚のドライブプレート５６に穿設された環状の溝５６ｂ（図３で図示省略）に移動自在に収容され、よって環状ハウジング５４と内周側の回転子４２ｂは、外周側の回転子４２ａと回転軸４４に回転自在に支持される。
【００３９】
２枚のドライブプレート５６は環状ハウジング５４の両側面に摺動自在に密接させられ、環状ハウジング５４の仕切壁５４ａとベーンロータ５２のボス部の外周面との間に密閉空間を複数個（６個）形成する。この密閉空間はベーンロータ５２のベーン５２ａによって二分され、進角側作動室（第１の作動室）５４ｃと遅角側作動室（第２の作動室）５４ｄを形成する。ここで、「進角」（ＡＤＶ）とは内周側の回転子４２ｂを外周側の回転子４２ａに対して矢印ＡＤＶ（図５）で示す第２の電動機１８の回転方向と同一の方向に、「遅角」（ＲＴＤ）とはその逆方向に回転させることを意味する。
【００４０】
進角側作動室５４ｃ、遅角側作動室５４ｄには作動流体、具体的には非圧縮性の流体、より具体的には変速機１４のＡＴＦ（Automatic Transmission Fluid）あるいはエンジン１０の潤滑油などの作動油が供給される。作動油は、回転軸４４からベーンロータ５２に形成される２本の油路６２，６４を介して進角側作動室５４ｃ、遅角側作動室５４ｄに供給される。
【００４１】
油路６２，６４はほぼ平行しており、図２と図５に示す如く、回転軸４４の軸方向に穿設された油路６２ａ，６４ａと、それに連続して回転軸４４の外周面に穿設された油路６２ｂ，６４ｂと、それに連続してベーンロータ５２のボス部に放射状に穿設された油路６２ｃ，６４ｃからなる。油路６２は進角側作動室５４ｃに、油路６４は遅角側作動室５４ｄに接続され、後述するリザーバとの間で作動油を給排される。
【００４２】
進角側作動室５４ｃと遅角側作動室５４ｄは作動油を給排されて伸縮し、よって外周側の回転子４２ａに固定されたベーン５２ａに対して仕切壁５４ａと一体にされた内周側の回転子４２ｂが回転軸（回転軸線）４４を中心として相対回転させられることで、外周側の回転子４２ａと内周側の回転子４２ｂの間の相対変位角を示す位相が０度から１８０度の間で変更され、それに応じて第２の電動機１８の誘起電圧が変更される。
【００４３】
図５に最進角位置にあるときの進角側作動室５４ｃと遅角側作動室５４ｄを示す。進角位置にあるとき、進角側作動室５４ｃは作動油が供給される一方、遅角側作動室５４ｄからは作動油が排出されるが、最進角位置では進角側作動室５４ｃは最大限度まで膨張する一方、遅角側作動室５４ｄは最大限度まで収縮する。
【００４４】
この実施例に係る第２の電動機１８（および第１の電動機１６）にあっては、図４（ａ）に示すように、外周側の回転子４２ａの磁石片４６ａと内周側の回転子４２ｂの磁石片４６ｂは同極同士が対向する同極配置となる位相にあるとき、両者の合成磁束が強められる強め界磁（界磁が増加）となる（換言すれば、強め位相位置にある）。他方、図４（ｂ）に示すように、外周側の回転子４２ａの磁石片４６ａと内周側の回転子４２ｂの磁石片４６ｂは異極同士が対向する対極配置となる位相にあるとき、両者の合成磁束が弱められる弱め界磁（界磁が減少）となる（換言すれば、弱め位相位置にある）。
【００４５】
外周側の回転子４２ａと内周側の回転子４２ｂの位相は、所望の合成磁束が得られるように電気角において０度から１８０度の間において変更可能であり、そのうち０度側を遅角側、１８０度側を進角側とする。図４（ａ）は０度のとき（最遅角位置）の磁石片４６ａと４６ｂの同極配置を示し、このとき界磁が最も強められる。他方、図４（ｂ）は１８０度のとき（最進角位置）の磁石片４６ａと４６ｂの対極配置を示し、このとき界磁が最も弱められる。
【００４６】
それにより第２の電動機１８の誘起電圧定数Ｋｅが変更され、第２の電動機１８の特性が変更される。即ち、強め界磁によって誘起電圧定数Ｋｅが増加すると、第２の電動機１８の運転可能な許容回転速度は低下するものの、出力可能な最大トルクは増大し、逆に弱め界磁によって誘起電圧定数Ｋｅが減少すると、出力可能な最大トルクは減少し、許容回転速度は上昇する。
【００４７】
尚、第２の電動機１８（および第１の電動機１６）は、内周側の回転子４２ｂが外周側の回転子４２ａに対して最進角位置（位相１８０度）あるいは中間位置（９０度）にあるとき、換言すれば弱め位相位置側にあるときに安定する。即ち、油圧を供給されないとき、回転子４２は進角位置側に向けて自ら相対変位する。
【００４８】
図６は、油路６２，６４を介して進角側作動室５４ｃ、遅角側作動室５４ｄに作動油を供給する、前記した油圧機構２６の位相制御油圧回路２６１を詳細に示す回路図である。
【００４９】
図示の如く、油圧機構２６は、リザーバ（タンク。作動油の貯留源）２６ａからフィルタ２６ｂを介して作動油を汲み上げて高圧化してライン圧として油路２６ｃに出力する油圧ポンプ２６ｄと、油路２６ｃを前記した油路６２，６４を介して進角側作動室５４ｃと遅角側作動室５４ｄのいずれかに切り換え自在に接続する切換弁２６ｅと、油路２６ｃに介挿され、切換弁２６ｅを介して進角側作動室５４ｃと遅角側作動室５４ｄに供給される作動油の流量を調整する流量調整弁２６ｆを備える。それらの動作は、前記したＥＣＵ２４によって制御される。
【００５０】
切換弁２６ｅは４ポート弁（方向切換弁）からなる。切換弁２６ｅには、そのポートを切り換えるリニアソレノイド弁２６ｇが接続される。リニアソレノイド弁２６ｇは油路２６ｃにおいて油圧ポンプ２６ｄと切換弁２６ｅの間に介挿され、電磁ソレノイド２６ｇ１を備え、電磁ソレノイド２６ｇ１を励磁・消磁されることで、そのスプール（弁体）は、作動油、より具体的には油圧を切換弁２６ｅのスプール（図示せず）に作用させる第１位置と、その作動油をドレンする第２位置の間で切り換え自在である。尚、破線はレリーフバルブ系を示す。
【００５１】
切換弁２６ｅは、そのスプール（弁体）が、リニアソレノイド弁２６ｇにより、油路２６ｃを油路６２を介して進角側作動室５４ｃに接続して作動油を供給する一方、遅角側作動室５４ｄをドレン側に接続して作動油を排出させる第１位置と、油路２６ｃを油路６４を介して遅角側作動室５４ｄに接続して作動油を供給する一方、進角側作動室５４ｃをドレン側に接続して作動油をドレン（排出）させる第２位置と、その間にあって４つのポートを閉鎖して作動油を保持する中間（中立）位置からなる３つの位置の間で切り替え自在に構成される。スプールは、スプリング２６ｅ１で第２位置に付勢される。
【００５２】
流量調整弁２６ｆもリニアソレノイド弁からなり、電磁ソレノイド２６ｆ１を備えると共に、電磁ソレノイド２６ｆ１をＰＷＭ制御されることで、そのスプールは作動油が切換弁２６ｅを介して進角側作動室５４ｃなどに供給される第１位置と、作動油がドレンされる第２位置の間の任意な位置の間を切り換え自在に構成され、切り換えられた位置に応じた流量の作動油を油路２６ｃに出力することで、作動油の流量を調整する。破線はレリーフバルブ系を示す。
【００５３】
流量調整弁２６ｆで流量が調整された油路２６ｃの作動油は、切換弁２６ｅを介して進角側作動室５４ｃあるいは遅角側作動室５４ｄに供給される。前記した如く、進角側作動室５４ｃは、作動油を供給されるとき、その流量に応じて膨張し、位相を最進角位置（１８０度）と中間位置（９０度）の間の任意の位置に変更すると共に、遅角側作動室５４ｄも、作動油を供給されるとき、その流量に応じて膨張し、位相を中間位置（９０度）と最遅角位置（０度）の間の任意の位置に変更する。
【００５４】
図６の末尾に示す如く、油圧ポンプ２６ｄは第２の電動機２６ｊに接続され、第３の電動機２６ｊによって駆動される。第３の電動機２６ｊはＰＤＵ２０のインバータ回路（ＩＮＶ）２０ａに接続される。このように、油圧ポンプ２６ｄはＥＯＰ（Electric Oil Pump。電動オイルポンプあるいは電動ポンプ）として構成される。
【００５５】
ＥＣＵ２４はＰＤＵ２０のインバータ回路２０ａを介して第２の電動機１８（および第１の電動機１６）動作を制御すると共に、第２の電動機１８の回転数などから前記した位相変更機構５０を介して位相を変更（制御）する。より具体的には、ＥＣＵ２４は、位相センサ２６ｎなどの出力に基づき、リニアソレノイド弁２６ｇと流量調整弁２６ｆの電磁ソレノイド２６ｇ１，２６ｆ１を励磁・消磁する。
【００５６】
次いで、この実施例に係る車両Ｖの制御装置、即ち、ＥＣＵ２４の動作を説明する。
【００５７】
図７はその動作を示すフロー・チャートである。
【００５８】
以下説明すると、Ｓ１０において高速路を走行しているか否か判断する。これはナビゲーション装置３６の出力から現在走行している場所が高速道路、即ち、道路交通法で規定される高速自動車国道と自動車専用道路、あるいはそれに準じるような道路であるか、あるいは現在走行している場所が上記した高速道路ではなく、それ以外の道路であるが、検出された車速が所定車速、例えば５０ｋｍ／ｈを超えるか否か判断することで行なう。
【００５９】
高速道路を走行しているとき、あるいは高速道路を走行していないが、検出された車速が所定車速を超えるとき、Ｓ１０の判断は肯定される。高速道路を走行している場合、検出された車速が所定車速を超えていなくても、いずれ超えると予想されるから、高速道路を走行している限り、Ｓ１０の判断は肯定される。
【００６０】
Ｓ１０で肯定されるときはＳ１２に進み、その状態が所定時間、例えば５ｍｉｎ継続しているか否か判断し、肯定されるときはＳ１４に進み、位相θを最弱め位相の１８０度と決定する。
【００６１】
即ち、車両Ｖは上記した高速走行状態にあるとき、高回転低トルクの状態となり、第２の電動機１８を強め位相側に駆動する必要がなく、第２の電動機１８は弱め位相位置側で安定することから、進角側作動室５４ｃと遅角側作動室５４ｄへの作動油の供給あるいは給排を停止しても、回転子４２は位相１８０度に向けて回転し、１８０度で停止するからである。
【００６２】
次いでＳ１６に進み、ＥＯＰ２６ｄの作動を抑制するモードと決定する。ＥＯＰ２６ｄでの作動を抑制するモードは基本的にはＥＯＰ２６ｄを停止することを意味するが、図１の構成においてはＥＯＰ２６ｄの出力は油圧クラッチ１４ｂの制御あるいは軸受けなどの摺動部位の潤滑、さらには固定子巻線の冷却にも流用されているため、ＥＯＰ２６ｄの出力（吐出出力）を低減させるに止める。この作動抑制により、ＥＯＰ２６ｄの消費電力は低減する。
【００６３】
他方、Ｓ１０あるいはＳ１２で否定されるときはＳ１８に進み、通常制御モードとする。即ち、アクセル開度センサ３０で検出されるトルク指令などに応じて位相θを決定し、ＥＯＰ２６ｄの作動を制御する。
【００６４】
上記の如く、第１実施例に係る電動車両Ｖの制御装置においては、所定速度以上の高速で所定時間以上走行する高速走行状態にあるか否か判定し、高速走行状態にあると判定されるとき、ＥＯＰ２６ｄの作動を抑制する如く構成したので、第２の電動機１８（あるいは第１の電動機１６）の位相を変更するＥＯＰ２６ｄの消費電力を低減することができる。また、車両Ｖがトルクが必要な低回転ではない高速走行状態にあるときに限ってＥＯＰ２６ｄの作動を抑制する如く構成したので、応答性に欠けるなどの不都合が生じることがない。
【実施例２】
【００６５】
図８は、この発明の第２実施例に係る電動車両の制御装置の全体構成を示す、図１と同様な概略図である。
【００６６】
第１実施例と相違する点に焦点をおいて説明すると、第２実施例にあっては第２の油圧ポンプ７０とそれを駆動する第４の電動機７２を設けるようにした。第２の油圧ポンプ７０もＥＯＰとして構成され、ＥＣＵ２４はＰＤＵ２０を介して第４の電動機７２の動作を調整して第２のＥＯＰ７０の作動を制御する。
【００６７】
具体的には、ＥＣＵ２４は、油圧クラッチ１４ｂをオンするとき、第２の油圧ポンプ７０を作動させると共に、摺動部位を潤滑するとき、あるいは第１、第２の電動機１６，１８の固定子４０の巻線４０ａを冷却するとき、第２の油圧ポンプ７０を作動させる。
【００６８】
第２実施例に係る装置の動作は図７フロー・チャートに示したものと同様であるが、Ｓ１６に進んでＥＯＰ作動抑制モードとされるとき、ＥＯＰ２６ｄは完全に停止させる点で相違する。即ち、第２実施例においては、油圧クラッチ１４ｂなどの油圧の供給用に第２のＥＯＰ７０を設けるように構成したので、ＥＯＰ作動抑制モードとされるとき、ＥＯＰ２６ｄを完全に停止させることとする。尚、残余の構成および効果は第１実施例と異ならない。
【実施例３】
【００６９】
図９は、この発明の第３実施例に係る電動車両の制御装置のうちの電動機の構造を示す、図５と同様な第２の電動機１８の回転子４２の側面図である。
【００７０】
第１実施例と相違する点に焦点をおいて説明すると、第３実施例にあっては第２の電動機１８（および第１の電動機１６）は、図９に示す如く、外周側の回転子４２ａには１６組の磁石片４６ａがその長手方向が回転子４２ａの周（円周）方向を向くように配置されると共に、内周側の回転子４２ｂには１６組の磁石片４６ｂが同様にその長手方向が回転子４２ｂの周（円周）方向を向き、よって磁石片４６ａと平面視において平行となるように配置される。
【００７１】
第３実施例においても、従前の実施例と同様、外周側の回転子４２ａと内周側の回転子４２ｂの位相は電気角において０度から１８０度の間において変更可能であり、０度のとき（最遅角位置）の磁石片４６ａ，４６ｂは同極配置となって界磁が最も強められる一方、１８０度のとき（最進角位置）対極配置となって界磁が最も弱められる。
【００７２】
ただし、第３実施例においては、第２の電動機１８（および第１の電動機１６）は、内周側の回転子４２ｂが外周側の回転子４２ａに対して最遅角位置（位相０度）にあるとき、換言すれば強め位相位置側にあるときに安定し、油圧を供給されないとき、回転子４２は進角位相位置側に向けて自ら相対変位する特性を備える。
【００７３】
尚、第３実施例に係る電動車両Ｖの構成は、図１あるいは図８と同様である。
【００７４】
図１０は第３実施例に係る車両Ｖの制御装置、即ち、ＥＣＵ２４の動作を示す、図７と同様のフロー・チャートである。
【００７５】
以下説明すると、Ｓ１００において渋滞路を走行しているか否か判断する。これはナビゲーション装置３６のインターナビ機能を介して外部通信を行なって現在走行している場所が渋滞路であるか否か判断すると共に、レーダ装置３４の出力から検出された前走車との離間距離が所定距離、例えば１０ｍ以下であるか否か判断することで行なう。
【００７６】
Ｓ１００で肯定されるときはＳ１０２に進み、渋滞路を走行する渋滞走行状態が所定時間、例えば５ｍｉｎ継続しているか否か判断し、肯定されるときはＳ１０４に進み、位相θを最強め位相の０度と決定する。
【００７７】
即ち、車両Ｖは上記した渋滞走行状態にあるとき、低回転高トルクの状態となる。第２の電動機１８は高トルク側の強め位相位置側で安定することから、ＥＯＰ２６ｄを停止させて進角側作動室５４ｃと遅角側作動室５４ｄへの作動油の給排を停止しても、回転子４２は位相０度に向けて回転し、０度で停止するからである。
【００７８】
次いでＳ１０６に進み、ＥＯＰ２６ｄの作動を抑制するモードと決定する。ＥＯＰ２６での作動を抑制するモードは基本的にはＥＯＰ２６ｄを停止することを意味するが、第３実施例が図１の構成を備える場合にはＥＯＰ２６ｄの出力（吐出出力）を低減させるに止める一方、図８の構成を備える場合、ＥＯＰ２６ｄを停止させる。いずれにしても、この作動抑制により、ＥＯＰ２６ｄの消費電力は低減する。
【００７９】
他方、Ｓ１００あるいはＳ１０２で否定されるときはＳ１０８に進み、通常制御モードとする。即ち、アクセル開度センサ３０で検出されるトルク指令などに応じて位相θを決定し、ＥＯＰ２６ｄの作動を制御する。
【００８０】
上記の如く、第３実施例に係る電動車両Ｖの制御装置においては、渋滞路を所定時間以上走行する渋滞走行状態にあるか否か判定し、渋滞走行状態にあると判定されるとき、ＥＯＰ２６ｄの作動を抑制する如く構成したので、位相を変更するＥＯＰ２６ｄの消費電力を低減することができる。また、高速回転が要求されることがない渋滞走行状態にあるときに限ってＥＯＰ２６ｄの作動を抑制する如く構成したので、位相を強め位相側、換言すれば許容回転数を減少させても、不都合が生じることがない。
【００８１】
また、外部通信に基づいて渋滞走行状態にあるか否か判定する如く構成したので、上記した効果に加え、渋滞走行状態にあるか否かを容易に判定することができる。
【００８２】
第１、第２実施例にあっては、それぞれに複数の磁石片４６ａ，４６ｂが設けられると共に、同一の軸線４４を中心に回転する第１（外周側）、第２（内周側）の回転子４２ａ，４２ｂと、電動ポンプ（ＥＯＰ）２６ｄを介して作動流体（作動油）を供給して前記第１、第２の回転子を前記軸線を中心として相対回転させ、両者の相対回転角を示す位相を前記磁石片による合成磁束が最も強められる位相位置と最も弱められる位相位置との間で変更する位相変更機構５０とを少なくとも有すると共に、前記作動流体が供給されないとき、前記合成磁束が最も強められる位相位置と最も弱められる位相位置の中間位置あるいは最も弱められる位相位置で安定する特性を備える電動機（第１、第２の電動機）１６，１８と、前記電動機で駆動される車輪Ｗとを備えた電動車両Ｖの制御装置（ＥＣＵ２４）において、前記電動車両が所定速度以上の高速で所定時間以上走行する高速走行状態にあるか否か判定する高速走行状態判定手段（Ｓ１０，Ｓ１２）と、前記高速走行状態にあると判定されるとき、前記電動ポンプ（ＥＯＰ）２６ｄの作動を抑制するポンプ作動抑制手段（Ｓ１４，Ｓ１６）とを備える如く構成した。
【００８３】
また、第３実施例にあっては、それぞれに複数の磁石片４６ａ，４６ｂが設けられると共に、同一の軸線４４を中心に回転する第１、第２の回転子４２ａ，４２ｂと、電動ポンプ（ＥＯＰ）２６ｄを介して作動流体（作動油）を供給して前記第１、第２の回転子を前記軸線を中心として相対回転させ、両者の相対回転角を示す位相を前記磁石片による合成磁束が最も強められる位相位置と最も弱められる位相位置との間で変更する位相変更機構５０とを少なくとも有すると共に、前記作動流体が供給されないとき、前記合成磁束が最も強められる位相位置で安定する特性を備える電動機（第１、第２の電動機）１６，１８と、前記電動機で駆動される車輪とＷを備えた電動車両Ｖの制御装置（ＥＣＵ２４）において、前記電動車両が渋滞路を所定時間以上走行する渋滞走行状態にあるか否か判定する渋滞走行状態判定手段（Ｓ１００，Ｓ１０２）と、前記渋滞走行状態にあると判定されるとき、前記電動ポンプの作動を抑制するポンプ作動抑制手段（Ｓ１０４，Ｓ１０６）とを備える如く構成した。
【００８４】
また、前記渋滞走行状態判定手段は、外部通信に基づいて前記渋滞走行状態にあるか否か判定する（Ｓ１００）如く構成した。
【００８５】
尚、上記において、車両Ｖが電動車両、より具体的にはシリーズ・パラレルハイブリット車両である場合を例にとってこの発明を説明したが、この発明は、通常のシリーズハイブリッド車、さらには内燃機関を備えない電気自動車にも妥当する。
【００８６】
また、第２の回転子４２ｂを回転軸線を中心として相対回転させて両者の相対変位角を示す位相θを変更するように構成したが、第１、第２の回転子の双方を相対回転させて位相を変更するようにしても良い。
【００８７】
さらに、作動流体として作動油を例示したが、その他の流体であっても良い。
【図面の簡単な説明】
【００８８】
【図１】この発明の第１実施例に係る電動車両の制御装置の全体構成を示す概略図である。
【図２】図１に示す電動機の要部断面図である。
【図３】図２に示す電動機の位相変更機構を示す分解斜視図である。
【図４】図２に示す回転子の磁石の磁極の向きを示す模式図である。
【図５】図２に示す電動機の回転子の側面図である。
【図６】図５に示す位相変更機構の作動室に油圧を供給する油圧機構の油圧回路図である。
【図７】図１などに示す電動車両の制御装置の動作を示すフロー・チャートである。
【図８】この発明の第２実施例に係る電動車両の制御装置の全体構成を示す、図１と同様な概略図である。
【図９】この発明の第３実施例に係る電動車両の制御装置のうちの電動機の構造を示す、図５と同様な電動機の回転子の側面図である。
【図１０】第３実施例に係る電動車両の制御装置の動作を示す、図７と同様なフロー・チャートである。
【符号の説明】
【００８９】
Ｖ  車両、１０  エンジン（内燃機関）、１４  変速機、１６，１８  第１、第２の電動機（モータ）、２０  ＰＤＵ（パワードライブユニット）、２２  バッテリ、２４  ＥＣＵ（電子制御ユニット）、２６  油圧機構、２６ｄ  油圧ポンプ（ＥＯＰ）、２６ｅ  切換弁（４ポート弁）、２６ｇ  リニアソレノイド弁、２８  車速センサ、３０  アクセル開度センサ、３４  レーダ装置、３６  ナビゲーション装置、４０  固定子、４２  回転子、４２ａ  外周側（第１）の回転子、４２ｂ  内周側（第２）の回転子、４４  回転軸（回転軸線）、４６ａ，４６ｂ  磁石片、５０  位相変更機構、５２  ベーンロータ、５２ａ  ベーン（部材）、５４  環状ハウジング、５４ａ  仕切壁（部材）、５４ｃ  進角側作動室（第１の作動室）、５４ｄ  遅角側作動室（第２の作動室）、６２，６４  油路（流体路）、７０  第２の油圧ポンプ（第２のＥＯＰ）
【図１】
0004914868.tif 000002
【図２】
0004914868.tif 000003
【図３】
0004914868.tif 000004
【図４】
0004914868.tif 000005
【図５】
0004914868.tif 000006
【図６】
0004914868.tif 000007
【図７】
0004914868.tif 000008
【図８】
0004914868.tif 000009
【図９】
0004914868.tif 000010
【図１０】
0004914868.tif 000011